(57)【要約】【課題】ＤＶＤ等の再生操作制限がなされている部分の再生中には、他のソースの画面及び音声出力を行うことによって利用者の不快感を無くすマルチメディアシステムとする。【解決手段】  利用者の操作を制限する操作制限データが一部に書き込まれるソースの再生出力を行う第１ソース出力部１１と、他のソースの出力を行う第２ソース出力部１２と、いずれかのソース出力部を選択して外部に出力する出力切替部４５を備え、第１ソース出力部１１には再生するソースに書き込まれた操作制限を検出する操作制限検出部３３と、利用者による操作指示を更新しながら記憶する操作指示記憶部３１を備え、操作制限検出部３３で利用者による操作指示が操作制限されたものであることを検出したとき、出力切替部４５は第２ソース出力部１２側を選択して外部に出力し、その後操作制限されていないことを検出したとき、先の操作指示の作動による第１ソース出力部の再生出力を行う。【選択図】図１
2006054680.tif 000002
【特許請求の範囲】
【請求項１】
利用者の操作を制限する操作制限データが一部に書き込まれるソースの再生出力を行う第１ソース出力手段と、他のソースの出力を行う第２ソース出力手段と、いずれかのソース出力手段を選択して外部に出力する出力切替手段を備えたマルチメディアシステムにおいて、
第１ソース出力手段には再生するソースに書き込まれた操作制限を検出する操作制限検出手段と、利用者による操作指示を更新しながら記憶する操作指示記憶手段とを備え、
前記操作制限検出手段で利用者による操作指示が操作制限されたものであることを検出したとき、前記出力切替手段は前記第２ソース出力手段を選択して外部に出力し、その後操作制限されていないことを検出したとき、前記操作指示記憶手段に記憶した操作指示の操作を行うと共に、前記出力切替手段では第１ソース出力手段を選択して外部に出力を行うようにしたことを特徴とするマルチメディアシステム。
【請求項２】
前記操作制限検出手段で利用者による操作指示が操作制限されたものであることを検出したとき、前記出力切替手段に切り替え用の信号を出力するソース切替信号出力手段と、第２ソース出力手段の作動を行わせる作動手段とを備えたことを特徴とする請求項１記載のマルチメディアシステム。  
【請求項３】
前記第１ソース出力手段はＤＶＤプレーヤであり、第２ソース出力手段はハードディスクプレーヤ、テレビ、ビデオプレーヤ、ナビゲーション装置、第１ソース出力手段のＤＶＤプレーヤにおける第２のソース出力部、第１ソース出力手段に備えているメモリのいずれかであることを特徴とする請求項１記載のマルチメディアシステム。
【請求項４】
前記第１ソース出力手段はＤＶＤプレーヤであり、第２ソース出力手段はＣＤプレーヤ、ＭＤプレーヤ、ラジオのいずれかであることを特徴とする請求項１記載のマルチメディアシステム。
【発明の詳細な説明】
【技術分野】
【０００１】
本発明は、ＤＶＤ（Digital Versatile Disk）プレーヤ、ハードディスク（ＨＤＤ）プレーヤ、ビデオプレーヤ、ＣＤプレーヤ等の各種のメディアソースを関連して再生することができるようにしたマルチメディアシステムに関し、特にＤＶＤプレーヤ等の再生時にスキップ等の操作が制限されているとき、他のメディアの出力に切り替えることができるようにしたマルチメディアシステムに関するものである。
【背景技術】
【０００２】
現在は例えばＨＤＤ付ＤＶＤレコードプレーヤのように、オーディオビジュアルのメディアが多様化し、且つ複合化して用いられるようになっている。また、車両に搭載する機器においても、ナビゲーション装置の普及に伴ってモニター画面にテレビ受信を表示し、或いはビデオ機器を接続してその再生画面を表示することも行われるようになっている。特に近年はナビゲーション装置の地図記録媒体としてＤＶＤが使用されるようになり、その再生処理機能を利用して一般のＤＶＤの再生を可能とし、ＤＶＤプレーヤとして用いられるようにもなっている。
【０００３】
更に、近年は家庭用ビデオレコーダとしてＨＤＤとＤＶＤを用いるＨＤＤ付ＤＶＤレコードプレーヤも普及し、その再生に際してはＨＤＤの再生とＤＶＤの再生を容易に切り替えることができる。また、ナビゲーション装置におけるＨＤＤの利用とも関連して、今後は車両搭載機器としてＨＤＤ及びＤＶＤを搭載して、ナビゲーション装置を含めて、それらのソースを任意に切り替えて使用することも可能となっている。このような移動体用マルチメディアシステムにおけるソース切替装置としては、例えば下記特許文献１が存在する。
【０００４】
一方、例えばＤＶＤにおいては種々の態様で再生を行うことができるようにデータの記録がされており、ＤＶＤプレーヤにおいてはそれらのデータを用いて利用者の指示にしたがった再生を行うことができる。したがって例えば特定のチャプターの再生中に早送りを行い、或いは次のチャプターにスキップすることができる。
【特許文献１】特開２０００−２６１７３１号公報
【発明の開示】
【発明が解決しようとする課題】
【０００５】
上記のようなＤＶＤプレーヤにおいては、特定のチャプターを再生中に他のチャプターにスキップ操作を行おうとしたとき、通常の再生画面のチャプターでは、所定のスキップ作動によって所望のチャプターに進むことができるものであるが、例えばディスク再生初期部分にそのＤＶＤの配布元、或いはＤＶＤのコンテンツ製作会社等のコマーシャルを挿入することがある。
【０００６】
このようなコマーシャルは多くの利用者にとっては意味のないものであるため、これをスキップして所望のコンテンツを含むチャプターに進む操作を行うことが多い。このような操作が行われると、上記のようなコマーシャル画面はほとんどの人が見ることが無くなり、コマーシャルとしての効果が無くなるため、ＤＶＤの配布元或いはＤＶＤのコンテンツ製作会社はこのコマーシャル部分がスキップされないように、ＤＶＤデータ中にスキップを受け付けない信号を記録することが行われる。
【０００７】
それにより、上記のようなコマーシャル画面の再生中に利用者がスキップ操作を行うと、例えば図５の画面例で示すように「現在その操作はできません」のように表示し、実際にスキップ操作を受け付けないようにしている。このような処理は、例えば図６のフローに示すように行われる。
【０００８】
即ち、例えばチャプター「２」の再生中に（ステップＳ３１）、利用者によってチャプター「５」へスキップする操作が行われたときには、このＤＶＤプレーヤはチャプター「２」の管理データ中に再生操作制限はあるか否かを検出し、再生操作制限があることを検出するとその再生操作制限によって利用者の操作指示であるスキップ操作を受け付けないようにしている（ステップＳ３３）。また、前記ステップＳ３２において再生操作制限はないことを検出したときには、利用者の操作指示に従ってチャプター「５」にスキップを行うようにしている（ステップＳ３４）。
【０００９】
前記のようなＤＶＤプレーヤにおける利用者の操作に対して機能制限を行う手段はユーザ・オペレーション・コントロール（ＵＯＰ）と称され、上記のようなスキップの制限のほか、早送り、停止の制限、或いはメニュー呼び出し制限等が行われる。このような操作の制限が行われるときには、次の操作を行いたいと思っている利用者にとっては極めて不快なことが多く、例えば前記のようなコマーシャルの画面を見ているくらいならば、目をそらしているか一時的に別の画面にするか、或いは画面を消した方がよいと考えることすらある。
【００１０】
しかしながらその画面から目をそらし、または別の画面にし、或いは画面を消す場合には、現在再生操作制限がなされているチャプターがいつ終了し、次の再生操作制限がなされないチャプターになったのかがわからないため、次の操作を行うタイミングがわからず、再生操作制限がなされているチャプターの再生中にもかかわらず画面が変わるたびに操作が無効のスキップ操作をしていらいらし、そのような操作を繰り返すのがいやな場合には過剰の待ち時間をもって操作を行うこととなる。
【００１１】
このような再生操作制限は上記のようなＤＶＤの再生に限らず、特にデジタルコンテンツの分野においては同様に行われ、今後普及が予想されるブルーレイディスク等、各種多様なデジタルコンテンツにおいて同様な問題を生じることとなる。
【００１２】
したがって本発明は、再生操作制限がなされている第１のソース出力手段での再生中には、その部分の画面及び音声の出力を行うことによる利用者の不快感を無くすため第２のソース出力手段から出力を行うことができるようにし、また再生操作制限がなされている部分の再生終了時には自動的に元の第１ソース出力手段における先の操作指示による再生出力をすることができるマルチメディアシステムを提供することを目的とする。
【課題を解決するための手段】
【００１３】
本発明によるマルチメディアシステムは、上記課題を解決するため、利用者の操作を制限する操作制限データが一部に書き込まれるソースの再生出力を行う第１ソース出力手段と、他のソースの出力を行う第２ソース出力手段と、いずれかのソース出力手段を選択して外部に出力する出力切替手段を備えたマルチメディアシステムにおいて、第１ソース出力手段には再生するソースに書き込まれた操作制限を検出する操作制限検出手段と、利用者による操作指示を更新しながら記憶する操作指示記憶手段とを備え、前記操作制限検出手段で利用者による操作指示が操作制限されたものであることを検出したとき、前記出力切替手段は前記第２ソース出力手段を選択して外部に出力し、その後操作制限されていないことを検出したとき、前記操作指示記憶手段に記憶した操作指示の操作を行うと共に、前記出力切替手段では第１ソース出力手段を選択して外部に出力を行うようにしたことを特徴とする。
【００１４】
また、本発明による他のマルチメディアシステムは、上記マルチメディアシステムにおいて、前記操作制限検出手段で利用者による操作指示が操作制限されたものであることを検出したとき、前記出力切替手段に切り替え用の信号を出力するソース切替信号出力手段と、第２ソース出力手段の作動を行わせる作動手段とを備えたことを特徴とする。  
【００１５】
また、本発明による他のマルチメディアシステムは、上記マルチメディアシステムにおいて、前記第１ソース出力手段はＤＶＤプレーヤであり、第２ソース出力手段はハードディスクプレーヤ、テレビ、ビデオプレーヤ、ナビゲーション装置、第１ソース出力手段のＤＶＤプレーヤにおける第２のソース出力部、第１ソース出力手段に備えているメモリのいずれかであることを特徴とする。
【００１６】
また、本発明による他のマルチメディアシステムは、上記マルチメディアシステムにおいて、前記第１ソース出力手段はＤＶＤプレーヤであり、第２ソース出力手段はＣＤプレーヤ、ＭＤプレーヤ、ラジオのいずれかであることを特徴とする。
【発明の効果】
【００１７】
本発明は上記のように構成したので、第１のソース出力手段での再生中に利用者による再生操作指示があったとき、その操作指示が制限されたものである際には第２のソース出力手段の作動に切り替えて出力することによって、第１のソース出力手段を再生出力することによる利用者の不快感を無くすことができる。更に、その後第１のソース出力手段における前記操作制限が無くなったときには、自動的に元の第１ソース出力手段における先の操作指示による再生出力を行うことができる。
【発明を実施するための最良の形態】
【００１８】
本発明は、ＤＶＤ等の再生操作制限がなされている部分の再生中には、その部分の画面及び音声の出力を行うことによる利用者の不快感を無くことができるようにし、またそのような再生操作制限がなされているチャプターの再生終了時には自動的に先の操作指示に従った再生出力することができるようにするため、利用者の操作を制限する操作制限データが一部に書き込まれるソースの再生出力を行う第１ソース出力手段と、他のソースの出力を行う第２ソース出力手段と、いずれかのソース出力手段を選択して外部に出力する出力切替手段を備えたマルチメディアシステムにおいて、第１ソース出力手段には再生するソースに書き込まれた操作制限を検出する操作制限検出手段と、利用者による操作指示を更新しながら記憶する操作指示記憶手段とを備え、前記操作制限検出手段で利用者による操作指示が操作制限されたものであることを検出したとき、前記出力切替手段は前記第２ソース出力手段を選択して外部に出力し、その後操作制限されていないことを検出したとき、前記操作指示記憶手段に記憶した操作指示の操作を行うと共に、前記出力切替手段では第１ソース出力手段を選択して外部に出力を行うようにしたものである。
【実施例１】
【００１９】
本発明の実施例を図面に沿って説明する。図１は本発明によるマルチメディアシステムにおいて、第１のソース出力部としてのＤＶＤを再生する際に、その再生に対する利用者の再生操作が制限されたときに、第２のソース出力部を前記第１のソース出力部の出力に代えて再生出力し、引き続き再生を継続している第１のソース出力部における再生操作制限が解除されたときには第１のソース出力部にすることができるようにした実施例の機能ブロックとそれらの相互の関係を示す機能ブロック図である。なお、同図における各機能部は、それぞれ各機能を行う手段ということもできる。
【００２０】
図１に示した実施例においては、第１ソース出力部としてのＤＶＤプレーヤ１１と、このＤＶＤプレーヤ以外のソース出力部である第２ソース出力部としての他のソース出力部１２と、各種のソース出力部を選択してモニター１４やスピーカ１５に出力するヘッドユニット１３を備え、これらの機器構成からなるマルチメディアシステムには、利用者がＤＶＤプレーヤを含め各種機器に対する操作指示を行う操作部１６を備えている。
【００２１】
第１ソース出力部としてのＤＶＤプレーヤ１１においては、通常この種のプレーヤと同様に、ＤＶＤビデオディスク２１はスピンドルモータ２３により回転するテーブル２２に固定され、所定の速度で回転制御されている。このＤＶＤビデオディスク２１に対して、図中の実施例においてはディスクの下面に形成した記録層に対向して光学ピックアップ２４を配置しており、光学ピックアップ２４から対物レンズを通して所定位置に焦点を結ぶ半導体レーザ光を照射し、ディジタルディスクから反射してくるレーザ光を再び対物レンズを通してフォトダイオードで受光し、それによりディスクに記録されたＲＦ信号を再生している。
【００２２】
このＲＦ信号はＲＦアンプ２５で増幅されてＤＶＤデータプロセッサ２６に入り、このＤＶＤデータプロセッサ２６ではＭＰＥＧデータを復調するとともに、誤り訂正処理、ＭＰＥＧビデオデータとオーディオデータ、サブピクチャデータとの分離処理、ユーザ操作制御情報等の各種管理情報、アドレス情報の抽出処理等のディジタル信号処理を行う。ＤＶＤデータプロセッサ２６で分離されたＭＰＥＧビデオデータに基づいて再生処理部２７中のＭＰＥＧビデオデコーダがＭＰＥＧ２の画像データを復号化し、また、サブピクチャデータはサブピクチャデコーダで複合化される。
【００２３】
復号化された映像データとサブピクチャデータは再生処理部２７中のビデオプロセッサに入力され、２つのデータを合成した画像データを生成して、ビデオエンコーダによって映像信号が作られる。ＤＶＤデータプロセッサ２６で分離されたオーディオデータはオーディオデコーダにより復号化し、この復号化されたオーディオデータは、ディジタル−アナログ（Ｄ／Ａ）変換器を通すことによって、アナログの音楽信号に変換される。これらの画像データ及びオーディオデータは、出力部２８からヘッドユニット１３の出力切替部４５に出力している。
【００２４】
ＤＶＤビデオディスク２１に記録されたデータは、所定のフォーマット基準に沿ってフォーマットされており、例えば図４に示すようにフォーマットされる。即ち、図４（ａ）にはこのディスクにおける記録順のデータ構成を示しており、このうち主たるデータ記録領域であるＤＶＤ−ＶＩＤＥＯ領域は、同図（ｂ）に示すように全体の管理情報領域としてのＶＭＧと、９９個まで分割可能なＶＴＳとから構成されている。このＶＴＳは同図（ｃ）に示すように、このディスクの主たる管理領域としてのＶＭＧＩと、タイトル・メニュー用ＶＯＢＳと、ＶＭＧＩのバックアップから構成されている。このうちＶＭＧＩは、同図（ｄ）に示すような種々のデータが記録されている。
【００２５】
また、図４（ｂ）の各ＶＴＳは、同図（ｅ）に示すように管理情報領域としてのＶＴＳＩと、そのほか図示するようなデータが記録されている。各ＶＴＳＩについては同図（ｆ）に示すような種々のデータが記録されており、このうち特にタイトル再生用ＰＧＣ情報テーブルの中には、ユーザーによるＳＴＯＰ、ＦＦ、ＦＳＫＩＰ等の操作を有効にするか否かの情報が記録され、本発明においてはこの情報を読み取り、後述するような作動を行うこととなる。
【００２６】
このＤＶＤビデオディスクに記録されているデータが映画である場合は、この映画を再生するための情報がＶＴＳＩに記録され、１作品となるビデオ、オーディオ等の情報がビデオ・オブジェクト・セット（ＶＯＢＳ）に記録される。このＶＯＢＳは１群の記録データとして管理される複数のビデオオブジェクト（ＶＯＢ）からなる。このＶＯＢは映画では１シーンや１カット等の単位となるセル（Ｃｅｌｌ）の集合で構成され、このＣｅｌｌの再生時間は数分から十数分程度となっている。
【００２７】
各Ｃｅｌｌは複数のビデオオブジェクトユニット（ＶＯＢＵ）によって構成され、このＶＯＢＵは全再生時間が０．４秒から１．２秒単位のデータが記録される。このＶＯＢＵの中には、ＭＰＥＧ２のフォーマットにおける複数のグループオブピクチャーが含まれる。このＶＯＢＵは、ＶＯＢＵを管理する情報を記録したナビゲーションパック（ＮＶパック：ＮＶ−ＰＣＫ）と、主映像を記録したビデオパック（Ｖパック：Ｖ−ＰＣＫ）と、音声データを記録したオーディオパック（Ａパック：Ａ−ＰＣＫ）と、字幕等の副映像データを記録したサブピクチャーパック（ＳＰパック：ＳＰ−ＰＣＫ）とにより構成されている。
【００２８】
各ＶＯＢＵは前記ＮＶパックと呼ばれる管理パック内のデータに基づき管理される。このＮＶパックには、ＶＯＢＵ全体の管理データとして、このＶＯＢＵの再生時間が記録され、また、ＮＶパックにより再生が制御される主映像を記録したＶパックのサイズが記録されている。そのほか、このＮＶパックには、このＮＶパックのアドレス、カテゴリー、ユーザ操作の制御情報が記録され、そのほか、このＶＯＢＵが含まれているＣｅｌｌの先頭からの経過時間等、種々の管理データが記録されている。
【００２９】
このＮＶパックのデータ構成としては、映像データ表示の制御情報であるプレゼンテーション・コントロール・インフォメーション（ＰＣＩ）と、各データのサーチ情報であるデータ・サーチ・インフォメーション（ＤＳＩ）とを備えている。また、前記ＰＣＩには、このＰＣＩ全体の管理情報と、ノンシームレスの場合のアングル切換情報と、副映像等を表示する際に所定領域にハイライト表示をするための情報と、主映像データ、副映像データ、音声データのレコーディング情報等が記録されている。また、前記ＤＳＩには、このＤＳＩ全体の管理情報（ＤＳＩ  ＧＩ）と、シームレスの場合の再生管理情報（ＳＭＬ  ＰＢＩ）と、シームレスの場合のアングル情報（ＳＭＬ  ＡＧＬＩ）と、ＶＯＢＵ間の時間間隔等のＶＯＢＵ検索情報（ＶＯＢＵ  ＳＲＩ）と、音声データ及び副映像データと時間的な一致を示すシンクロ情報（ＳＹＮＣＩ）等が記録されている。
【００３０】
更に、前記ＤＳＩの管理情報（ＤＳＩ  ＧＩ）には、このＮＶパックのシステムクロック基準（ＮＶ  ＰＧＫ  ＳＣＲ）、このＮＶパックのアドレス（ＮＶ  ＰＣＫ  ＬＢＮ）、このＶＯＢＵのエンドアドレス（ＶＯＢＵ  ＥＡ）、ＶＯＢＵに関するユーザ操作制限情報等の各種データ群、及びこのＶＯＢＵが含まれているセルの先頭からの経過時間（Ｃ  ＥＬＴＭ）等が記録されている。
【００３１】
上記のようなＤＶＤビデオディスクのデータ構成により、各ディスク毎にディスクの読み込み開始部にディスク固有の識別記号が記録され、また、例えば図４のＶＴＳ＃１のタイトル用ＶＯＢＳを映画の本編とし、ＶＴＳ＃２のタイトル用ＶＢＳを映画製作会社、ソフトメーカー等の宣伝用映像に設定するとともに、この部分を自動再生時の最初に再生する映像に設定することができる。また、この宣伝用映像の再生に必要な前記ＶＴＳＩ、及びこの映像を記録したビデオオブジェクト（ＶＯＢ）中の各ビデオオブジェクトユニット（ＶＯＢＵ）のＮＶパックには、ユーザ操作情報としての停止（Ｓｔｏｐ）操作、あるいは早送り（ＦＦ）操作、あるいは前方へのスキップ（Ｆ−Ｓｋｉｐ）操作を無効とするデータ等の制御情報、即ちユーザ操作制限情報を任意に書き込むことができる。したがって、各ＤＶＤビデオディスクによって、前方へのスキップ操作を禁止し、また、停止操作及び早送り操作を全て禁止するように設定したもの、また、停止操作のみを禁止するように設定したもの等種々のものが存在することとなる。
【００３２】
図１のＤＶＤプレーヤ１１においては、ＤＶＤデータプロセッサ２６で得られた上記のような操作制限情報を含むディスク管理データを、ディスク管理データ取込部３２に出力する。操作制限検出部３３ではディスク管理データ取込部３２に取り込まれたデータの中から利用者の操作を制限している操作制限データを取り込み、操作指示入力部３０で入力した操作部１６からの利用者の操作指示信号が操作制限されているか否かを検出する。操作指示器億部３１においては、上記のようにして操作指示入力部３０に入力した利用者の操作指示信号を更新しながら記憶している。
【００３３】
操作制限検出部３３において、利用者が指示した操作が制限されている操作であることを検出したときには、他のソース出力部作動部３５にその信号を出力し、他のソース出力部作動部３５においては操作制限時の他ソース切替設定部３６に予め設定している所定の他のソースを選択し、そのソースに対して作動信号を出力する。また、操作制限検出部３３においては同時にソース切替信号出力部にその検出信号を送り、ソース切替信号出力部３４ではヘッドユニット１３の出力切替部４５に対して、モニター１４及びスピーカ１５に対してＤＶＤプレーヤ１１からの出力を用いず、後述するような他のソース出力部１２からの出力を用いるようにする。
【００３４】
操作制限検出部３３は更に、操作制限をしているチャプターの再生が終了し、先に操作者が指示した操作が可能となったことを検出し、その際には他のソース出力部作動部３５に対して作動停止信号を出力し、同時にソース切替信号出力部３４からヘッドユニット１３の出力切替部４５に対して再びＤＶＤプレーヤ１１の出力部２８からの信号をモニター１４及びスピーカ１５から出力するように指示する。
【００３５】
他のソース出力部としては図示するように、ハードディスク、テレビ、ビデオ等の映像と音声が出力されるソースのほか、車両用機器においてはナビゲーション装置を用いることもでき、更には近年のＤＶＤ技術の発達により、１台のＤＶＤプレーヤで実質的にほぼ同時に２つのチャプターを再生することができるようにしているものにおいては、同一のＤＶＤプレーヤ内における第２出力部を利用することもできる。更に、別途メモリを設けて特定の映像や音声を記憶しておく場合には、上記操作制限検出時に記憶していた映像や音声を出力するようにしても良い。また、必ずしも映像を出力する必要はなく、ＣＤ、ＭＤ、更にはラジオを用いても良い。
【００３６】
上記のような各種のソース出力部が使用可能であるので、前記操作制限時の他ソース切替設定部３６において予め例えばラジオ等の特定のソース出力部を設定しておくことにより、図１における他のソース出力部１２の操作指示入力部４１に対して他の出力ソース作動部３５から作動開始信号を設定されている例えばラジオに対して出力する。
【００３７】
この場合、他のソース出力部としてのラジオにおいては、予め操作指示入力部４１において通常の操作部１６からの信号を入力するほか、前記ＤＶＤプレーヤ１１の他のソース出力部作動部３５からの信号も入力できるようにしておき、作動信号の入力時には操作部１６から電源ＯＮ及び特定受信局の受信が行えるようにし、作動停止信号の入力時には電源のＯＦＦ作動を行えるようにしておく。なお、図示実施例においては、ＤＶＤプレーヤ１１から直接作動信号を入力するようにした例を示しているが、例えば車両搭載機器においてヘッドユニットを用いた場合に、そのヘッドユニット１３を介して作動信号、及び作動停止信号を入力する等、種々の方式のよって作動させることができる。
【００３８】
第２ソース出力部としての他のソース出力部１２における出力信号処理部４２においては、操作指示入力部４１に前記のような作動開始信号が入力したとき、ハードディスク、ビデオ、ＣＤ、ＭＤ等の場合はそれらの再生処理を行い、テレビ、ラジオの場合は受信信号の処理、ナビゲーション装置の場合は通常の作動処理を行う。その処理信号は出力部４３からヘッドユニット１３の出力切替部４５に出力し、前記のようにソース切替信号出力部３４から切替信号が出力されたときにはこれをモニター１４及びスピーカ１５に出力し、また、その後ＤＶＤプレーヤの出力に切り替えることができるようにする。
【００３９】
上記のような機能ブロックからなる実施例のマルチメディアシステムにおいては、例えば図２に示すような作動フローに従って順に作動させることができる。図２に示す作動フローにおいてはＤＶＤプレーヤ等の第１ソース出力部での再生中において、利用者の操作指示はあったか否かの判別を行い（ステップＳ１）、操作指示がなかったときにはその判別を繰り返し、操作指示があったときには指示された操作は操作制限されているか否かを判別する（ステップＳ２）。この作動は図１の例においては操作制限検出部３３において行う。
【００４０】
このステップＳ２において指示された操作は操作制限されていると判別したときには、図２に示す例においては例えばラジオ等の予め設定された第２ソース出力部の電源が入っていることにより出力可能な状態になっているか否かを判別し（ステップＳ３）、未だ出力可能の状態になっていないときには、その電源をＯＮする等によって出力可能の状態にする（ステップＳ４）。ステップＳ３において既に第２ソース出力部の電源が入っている等により出力可能な状態になっていると判別したとき、及びステップＳ４で第２ソース出力部を出力可能な状態にしたときには、第２ソース出力部の出力に切り替える（ステップＳ５）。これは図１の例においては他のソース出力部作動部３５が他のソース出力部１２の操作指示入力部４１に作動開始信号を出力することにより行われる。
【００４１】
次いで第１ソース出力部での再生を継続した状態で先に指示された第１ソース出力部の操作指示を記憶する（ステップＳ６）。これは図１の例においては、操作指示記憶部３１に記憶される。その後再生中の第１ソース出力部において、操作制限は解除されたか否かを判別する（ステップＳ７）。ここで未だ解除されていないと判別したときには、操作制限が解除されるまでこの作動を繰り返す。
【００４２】
ステップＳ７において操作制限が解除されたと判別したときには、第１ソース出力部の出力に切り替え（ステップＳ８）、先に記憶した利用者の操作指示に従って操作を実行する（ステップＳ９）。これは図１の例においては操作制限検出部３３がディスク管理データ取込部３２で取り込まれた管理データ中に、操作指示記憶部３１に記憶された操作指示が制限されているかを検出し、その制限が無くなったことを検出したときにＤＶＤプレーヤの操作指示入力部にその信号を出力することによって行うことができる。
【００４３】
次いで図２の例においては第１ソース出力部の電源のＯＦＦの指示入力があったか否かを検出し（ステップＳ１０）、その指示信号がないときには再びステップＳ１に戻り、前記作動を繰り返す。その後ステップＳ１０で第１ソース出力部の電源のＯＦＦの指示があったと判別したときには第１ソース出力部の電源をＯＦＦしてこの作動を終了する（ステップＳ１１）。前記ステップＳ２において利用者によって指示された操作が操作制限されていない指示であると判別したときには、ステップＳ１０に進んで、以降は電源がＯＦＦされるまでステップＳ１以降の作動を繰り返す。
【００４４】
図２の作動フローは、本発明を種々の態様で実施するために一般化して示したものであるが、第１ソース出力部としてＤＶＤプレーヤを用い、チャプター２の再生中にチャプター５にスキップしたいと利用者が操作指示したときの、具体的な態様の作動フローを図３に示している。図３に示す例においてはチャプター「２」の再生中において（ステップＳ２１）、利用者によってチャプター「５」へのスキップ操作が行われると、ステップＳ２２においてそのチャプター「５」へのスキップ操作は再生操作制限されているものであるか否かを判別する。
【００４５】
ステップＳ２２の判別の結果、チャプター「５」へのスキップ操作は操作制限がされたものであると判別されたときには、チャプター「５」にスキップするという利用者操作の保存を行い（ステップＳ２３）、次いでラジオ等の他のソースへソース切替を行う（ステップＳ２４）。その後、未だ再生操作制限はあるか否かの判別を行い（ステップＳ２５）、未だその再生操作制限があると判別したときにその判別を繰り返し、再生操作制限が無くなったと判別されたときには元のソースへの復帰、保存しておいた前記チャプター「５」にスキップするというユーザ操作を実行する。その結果チャプター「５」の再生がなされる（ステップＳ２８）。前記ステップＳ２２において、再生操作制限がないと判別したときには、そのままステップＳ２８に進み、利用者の操作指示であるチャプター「５」の再生を行う。
【産業上の利用可能性】
【００４６】
本発明によるマルチメディアシステムは、一般家庭用の各種映像機器、オーディオ機器を関連して作動するマルチメディアシステムとして用いることができ、更に、各種のＡＶ機器を搭載した車両用のマルチメディアシステムとしても有効に利用することができる。また、ＤＶＤプレーヤにおいて同時に複数の再生出力を行う機能を備えたものにおいては、１台のＤＶＤプレーヤで本発明を利用することもできる。更に、１つのプレーヤに特定の映像や音声を別途メモリ等に記憶している場合には、前記再生操作制限時にこのメモリに記憶された映像や音声を出力することにより、１つのプレーヤで本発明を実施することもできる等、広範囲のマルチメディアシステムとして利用することができる。
【図面の簡単な説明】
【００４７】
【図１】本発明の実施例の機能ブロック図である。
【図２】本発明を各種の態様で実施する際の作動フロー図である。
【図３】本発明の第１ソース出力部としてＤＶＤを用いた際の、実例に則した作動フロー図である。
【図４】ＤＶＤのディスクに記録されるデータ例を示す図である。
【図５】従来のＤＶＤプレーヤにおける作動制限時の画面表示例を示す図である。
【図６】従来のＤＶＤプレーヤにおける作動制限関連部分の作動フロー図である。
【符号の説明】
【００４８】
１１  ＤＶＤプレーヤ（第１ソース出力部）
１２  他のソース出力部（第２ソース出力部）
１３  ヘッドユニット
１６  操作部
２１  ＤＶＤディスク
２６  ＤＶＤデータプロセッサ
２７  再生処理部
２８  出力部
３０  操作指示入力部
３１  操作指示記憶部
３２  ディスク管理データ取込部
３３  操作制限検出部
３４  ソース切替信号出力部
３５  他の出力ソース作動部
３６  操作制限時の他ソース切替設定部
４１  操作指示入力部
４２  出力信号処理部
４３  出力部
４５  出力切替部    
【図１】
2006054680.tif 000003
【図２】
2006054680.tif 000004
【図３】
2006054680.tif 000005
【図４】
2006054680.tif 000006
【図５】
2006054680.tif 000007
【図６】
2006054680.tif 000008